(57)【要約】【課題】  磁力ユニットをボールねじに容易に装着し、しっかり固定することが可能であるステッピングモーターのボールねじセットを提供する。【解決手段】  ステッピングモーターのボールねじセットは、コイルを有するモーターに装着され、ボールねじ１０、磁力ユニット３０及び接着剤を備える。ボールねじ１０は、棒体１１と、棒体１１に形成されるねじ山１２と、棒体１１の一端に設けられる連接部１５と、連接部１５に凹んでいるように設けられ、かつ平面部１８を有する接着部位１７と、を有する。磁力ユニット３０は、筒体３１を呈し、嵌合孔３３を有し、嵌合孔３３にボールねじ１０の連接部１５が嵌まり、かつ嵌合孔３３がボールねじ１０の接着部位１７に対応するように位置付けられる。接着剤は、ボールねじ１０の接着部位１７と磁力ユニット３０の嵌合孔３３との間に塗布され、ボールねじ１０と磁力ユニット３０とを接着して固定する。【選択図】  図３
0003109248.tif 000002
【実用新案登録請求の範囲】
【請求項１】
コイルを有するモーターに装着される、ステッピングモーターのボールねじセットであって、
棒体と、棒体に形成されるねじ山と、棒体の一端に設けられる連接部と、連接部に凹んでいるように設けられ、かつ平面部を有する接着部位とを有するボールねじと、
筒体を呈し、嵌合孔を有し、嵌合孔にボールねじの連接部がしっかり嵌まり、かつ嵌合孔がボールねじの接着部位に対応するように位置付けられる磁力ユニットと、
ボールねじの接着部位と磁力ユニットの嵌合孔との間に塗布され、ボールねじと磁力ユニットとを接着して固定する接着剤と、
を備えることを特徴とするステッピングモーターのボールねじセット。
【請求項２】
磁力ユニットは、一体成型される筒体を二つ有することを特徴とする請求項１に記載のステッピングモーターのボールねじセット。
【請求項３】
コイルを有するモーターに装着される、ステッピングモーターのボールねじセットであって、
棒体と、棒体に形成されるねじ山と、棒体の一端に設けられる連接部とを有するボールねじと、
モーターのコイルに対応しかつ一体成型される複数の筒体と、筒体に形成され、かつボールねじの連接部を連接して固定する嵌合孔とを有する磁力ユニットと、
を備えることを特徴とするステッピングモーターのボールねじセット。
【考案の詳細な説明】
【技術分野】
【０００１】
本考案は、モーターに関し、特にステッピングモーターのボールねじセットに関するものである。
【背景技術】
【０００２】
従来のステッピングモーターのボールねじセットは、設計構造上磁力ユニットにボールねじを装着しにくく、かつ接着材料による接着部において磁力ユニットとボールねじを緊密に結合しにくいとう問題がある。
また、加工製造の面では、製作しにくくて、手間やコストがかかるという問題があり、かつ磁力ユニット構造の形状、及びボールねじの配置関係に起因して磁力効果がよくないという問題もあるため、改善の余地がある。
【考案の開示】
【考案が解決しようとする課題】
【０００３】
本考案者は、上述の問題点に鑑みながら研究を重ねた結果、本考案のステッピングモーターのボールねじセットを完成させた。
本考案の主な目的は、ボールねじに磁力ユニットを連接して接着するための構造を有することで、磁力ユニットをボールねじに容易に装着し、しっかり固定することが可能であるステッピングモーターのボールねじセットを提供することにある。
【０００４】
本考案のもう一つの目的は、磁力ユニットの構造、及びボールねじとの配置関係により磁力ユニットの磁力効果をよりいっそう発揮することが可能であるステッピングモーターのボールねじセットを提供することにある。
【課題を解決するための手段】
【０００５】
上述の目的を達成するために、本考案によるステッピングモーターのボールねじセットは、コイルを有するモーターに装着される。ステッピングモーターのボールねじセットはボールねじ、磁力ユニット及び接着剤を備える。
ボールねじは、棒体と、棒体に形成されるねじ山と、棒体の一端に設けられる連接部と、連接部に凹んでいるように設けられ、かつ平面部を有する接着部位と、を有する。磁力ユニットは、筒体を呈し、嵌合孔を有し、嵌合孔にボールねじの連接部がしっかり嵌まり、かつ嵌合孔がボールねじの接着部位に対応するように位置付けられる。接着剤は、ボールねじの接着部位と磁力ユニットの嵌合孔との間に塗布され、ボールねじと磁力ユニットとを接着して固定する。
【考案を実施するための最良の形態】
【０００６】
以下、本考案の特徴及び効果を実施例と図面に基づいて説明する。
図１に示すように、本考案の一実施例によるステッピングモーターのボールねじセットは、コイルＣと直線運動を生じさせるボールナットＰを有するモーターＭに装着される。
図２と図３に示すように、ステッピングモーターのボールねじセットは下記のものを備える。
【０００７】
ホールねじ１０は、棒体１１と、棒体１１に形成されるねじ山１３と、棒体１１の一端に設けられる連接部１５と、連接部１５に凹んでいるように設けられ、かつ平面部１８を有する二つの接着部位１７とを有する。
磁力ユニット３０は、筒体３１を呈し、コイルＣ内部に対応する嵌合孔３３を有し、嵌合孔３３にボールねじ１０の連接部１５がしっかり嵌まり、かつ嵌合孔３３がボールねじ１０の接着部位１７に対応するように位置付けられ、かつ嵌合孔３３の両側にガイド孔３５が形成される。
【０００８】
以下、本実施例によるステッピングモーターのボールねじセットを組み立てた後の使用状態について説明する。
図１に示すように、ボールねじ１０と磁力ユニット３０がコイルＣにより通電作用する時、ボールねじ１０は回転運動し、ボールナットＰはボールねじ１０に対応し、軸方向運動を発生させる。
【０００９】
本実施例の磁力ユニット３０は接着剤５０によりボールねじ１０に装着される。したがって、高速回転下で磁力ユニット３０とボールねじ１０は分離しない。
図４に示すように、本考案のもう一つの実施例におけるボールねじは、前述の実施例のものとだいたい同じである。違うのは、磁力ユニット３０Ａの筒体の中段外周に環状溝３７Ａを有し、二つの筒体３１Ａ、３２Ａが形成され、磁力ユニット３０Ａの二つ筒体３１Ａ、３２Ａがコイルに対応するため、比較的よい磁力作用が生じるとともに回転効果をよりいっそう発揮可能であるということである。
【００１０】
図５に示すように、前述の実施例における磁力ユニットは、外径が異なる二つの筒体３１Ｂ、３２Ｂから構成してもよい。
図６に示すように、本考案のもう一つの実施例は前述の実施例とだいたい同じである。違う点は、二つの磁力ユニット３０Ｃ、３０Ｄが別々にボールねじの連接部の二箇所に装着され、かつその接着部位に位置付けられ、二つの磁力ユニット３０Ｃ、３０Ｄが同じものであり、二つの磁力ユニット３０Ｃ、３０Ｄがコイルに対応するため、比較的よい磁力作用を生じるとともに回転効果をよりいっそう発揮可能であるということである。
【００１１】
図７に示すように、前述の実施例は、磁力ユニットを外径が異なる磁力ユニット３０Ｅ、３０Ｆにしてもよい。
以上の実施例のほかに、本考案のまたもう一つの実施例は下記の通りである。
前述の実施例におけるボールねじの接着部位を三つ、四つまたは四つ以上設けることで、本考案の目的を達成することも可能である。
【００１２】
図８に示すように、ボールねじの接着部位に若干の横向きの線状パターン１９Ｃを有することで、接着剤を付けてしっかり固定することが可能である。また図９に示すように、線状パターン１９Ｄは軸方向に配置される。また線状パターンは斜線またはほかの模様にしてもよい。
【００１３】
上述の実施例の説明をまとめてみると、本考案の長所は下記の通りである。
１．本考案によるステッピングモーターのボールねじセットは、ボールねじに磁力ユニットを連接して接着するための構造を有することで、磁力ニットをボールねじに容易に装着し、しっかり固定することが可能である。
【００１４】
２．本考案によるステッピングモーターのボールねじセットは、磁力ユニットの構造、及びボールねじとの配置関係により、磁力ユニットの磁力効果をよりいっそう発揮することが可能である。
【図面の簡単な説明】
【００１５】
【図１】本考案の実施例によるステッピングモーターのボールねじセットがモーターに装着された状態を示す断面図である。
【図２】本考案の実施例によるステッピングモーターのボールねじセットが組み立てられた状態を示す側面図である。
【図３】本考案の実施例によるステッピングモーターのボールねじセットが分解された状態を示す側面図である。
【図４】本考案のもう一つの実施例によるステッピングモーターのボールねじセットが組み立てられた状態を示す側面図である。
【図５】本考案のまたもう一つの実施例によるステッピングモーターのボールねじセットが組み立てられた状態を示す側面図である。
【図６】本考案のさらにもう一つの実施例によるステッピングモーターのボールねじセットが組み立てられた状態を示す側面図である。
【図７】本考案のまたもう一つの実施例によるステッピングモーターのボールねじセットが組み立てられた状態を示す側面図である。
【図８】本考案の実施例によるボールねじの構造を示す模式図である。
【図９】本考案の実施例によるボールねじのもう一つの構造を示す模式図である。
【符号の説明】
【００１６】
１０  ボールねじ、１１  棒体、１２  ねじ山、１５  連接部、１７  接着部位、１８  平面部、１９Ｃ、１９Ｄ  線状パターン、３０、３０Ａ、３０Ｃ、３０Ｄ、３０Ｅ、３０Ｆ  磁力ユニット、３１、３１Ａ、３１Ｂ  筒体、３２Ａ、３２Ｂ  筒体、３３  嵌合孔、３５  ガイド穴、３７Ａ  環状溝、５０  接着剤、Ｃ  コイル、Ｍ  モーター、Ｐ  ボールナット
【図１】
0003109248.tif 000003
【図２】
0003109248.tif 000004
【図３】
0003109248.tif 000005
【図４】
0003109248.tif 000006
【図５】
0003109248.tif 000007
【図６】
0003109248.tif 000008
【図７】
0003109248.tif 000009
【図８】
0003109248.tif 000010
【図９】
0003109248.tif 000011